(57)【特許請求の範囲】
【請求項１】
３次元の完成形状を形成するための係合のための、複数の３次元の第１の構成要素を有する３次元パズルであって、
前記３次元の第１の構成要素の各々は、第１の表面形状を有する下面と、前記第１の表面形状とは異なる第２の表面形状を有する外面とを有し、
前記下面は、少なくとも１つの他の前記３次元の第１の構成要素の下面との相互連結係合のための形状にされており、
前記３次元の第１の構成要素の少なくとも１つは、前記相互連結係合とは異なる係合によって互いに接合させられるようになっている２つの部品の形に作られており、
前記下面のいずれもパズルの外側表面としての使用には適合されておらず、
前記２つの部品は、接合される時に区画室を形成する、
ことを特徴とするパズル。
【請求項２】
前記相互連結係合は、さねはぎ構造を含む、ことを特徴とする請求項１に記載のパズル。
【請求項３】
前記相互連結係合は、さねはぎ構造を含み、かつ、前記さねはぎ構造の少なくとも一部分は、前記相互連結係合の仕方を制限するためのテーパー（ｔａｐｅｒ）を有する、ことを特徴とする請求項２に記載のパズル。
【請求項４】
前記２つの部品は恒久的に接合されている、ことを特徴とする請求項１から３のいずれか１項に記載のパズル。
【請求項５】
前記２つの部品は可逆的に接合されている、ことを特徴とする請求項１から３のいずれか１項に記載のパズル。
【請求項６】
第１の構成要素の各々は、略一定な厚さの壁を有する、ことを特徴とする請求項１から５のいずれか１項に記載のパズル。
【請求項７】
第１の構成要素各々の壁のすべては略一定の厚さである、ことを特徴とする請求項６に記載のパズル。
【請求項８】
第１の構成要素各々の壁のすべては、その他の第１の構成要素の壁として概ね同一の一定不変の厚さである、ことを特徴とする請求項６又は７に記載のパズル。
【請求項９】
前記３次元の完成形状の外側表面は、３次元パターンを含む、ことを特徴とする請求項１から８のいずれか１項に記載のパズル。
【請求項１０】
前記３次元パターンは前記外側表面の全体にわたって略一定である、ことを特徴とする請求項９に記載のパズル。
【請求項１１】
前記３次元パターンは複数のフィン又は支持構造を含む、ことを特徴とする請求項９又は１０に記載のパズル。
【請求項１２】
前記外側表面上のオーバーモールディングを含む、ことを特徴とする請求項９から１１のいずれか１項に記載のパズル。
【請求項１３】
複数の第２の構成要素を有する包囲物を含み、かつ、前記第２の構成要素の各々は、少なくとも１つの他の前記第２の構成要素と係合のために成形されている、
ことを特徴とする請求項１から１２のいずれか１項に記載のパズル。
【請求項１４】
各々の第２の構成要素は、平面の形状を有する、ことを特徴とする請求項１３に記載のパズル。
【請求項１５】
各々の第２の構成要素は、湾曲した形状を有する、ことを特徴とする請求項１３に記載のパズル。
【請求項１６】
各々の第２の構成要素は、第１の表面形状を有する下面と、第２の表面形状を有する外面とを有し、前記第１の表面形状は前第２の表面形状とは異なっている、
ことを特徴とする請求項１３に記載のパズル。
【請求項１７】
前記第２の構成要素の前記下面の前記第１の表面形状は、共に、前記第１の構成要素の前記外面の前記第２の表面形状を相補する、
ことを特徴とする請求項１６に記載のパズル。
【請求項１８】
前記第２の構成要素の係合は相互連結による、ことを特徴とする請求項１３から１７のいずれか１項に記載のパズル。
【発明の詳細な説明】
【技術分野】
【０００１】
本発明はパズルに関する。さらに特に、本発明は、完成したパズルが平らな平面状の形状ではなく３次元の形状を有する、３次元パズルに関する。
【背景技術】
【０００２】
３次元パズルが公知である。こうしたパズルの幾つかは、全ての部品を一体状に保持するために固着部品と共に嵌合するように設計されている幾つかの部品を含む。
【０００３】
その内容が本明細書に引用文献として援用されている、国際公開第９５／３４３５４号として公開されている国際特許出願ＰＣＴ／ＡＵ９４／００３２９を参照されたい。この国際出願は、概略的に述べると、構成要素を一体的に保持する唯一の手段としての最終的な固着構成要素を必要とすることなしに、構成要素として互いに相互係合させられる構成要素がアセンブリされた、３次元パズルを開示している。
【発明の概要】
【発明が解決しようとする課題】
【０００４】
本発明は、その様々な態様において、国際出願に開示されている３次元パズルに比べて改善点を有する。
【課題を解決するための手段】
【０００５】
したがって、本発明は、その第１の態様において、３次元の完成形状を形成するための係合のための、複数の３次元の第１の構成要素を有する３次元パズルを提供し、この３次元の第１の構成要素の各々は、第１の表面形状を伴う下面と、この第１の表面形状とは異なる第２の表面形状を伴う外面とを有し、この下面は、少なくとも１つの他の３次元の第１の構成要素の下面との相互連結係合（ｉｎｔｅｒｌｏｃｋｉｎｇ  ｅｎｇａｇｅｍｅｎｔ）のための形状にされており、かつ、３次元の第１の構成要素の少なくとも１つは、相互連結係合とは異なる係合によって互いに接合させられるようになっている２つの部品の形で作られており、かつ、上記下面は、パズルの外側表面としての使用に適合されていない。
【０００６】
本発明は、その第２の態様において、３次元の完成形状を形成するための係合のための、複数の３次元の第１の構成要素を有する３次元パズルを提供し、この３次元の第１の構成要素の各々は、少なくとも１つの他の３次元の第１の構成要素との相互連結係合のための形状にされており、かつ、３次元の完成形状は、３次元パターンを含む外側表面を有する。
【０００７】
本発明は、その第３の態様において、３次元の完成形状を形成するための係合のための、複数の３次元の第１の構成要素を有する３次元パズルを提供し、この３次元の第１の構成要素の各々は、少なくとも１つの他の３次元の第１の構成要素との相互連結係合のための形状にされており、かつ、各々の構成要素は、略一定の厚さである壁を有する。
【０００８】
本発明は、その第４の態様において、３次元の完成形状を形成するための係合のための、複数の３次元の第１の構成要素を有する３次元パズルのための包囲物（ｓｕｒｒｏｕｎｄ）を提供し、この３次元の第１の構成要素の各々は、少なくとも１つの他の３次元の第１の構成要素との相互連結係合のための形状にされており、かつ、その包囲物は、複数の第２の構成要素で構成されており、この第２の構成要素の各々は、少なくとも１つの他の第２の構成要素との係合のための形状にされている。
【０００９】
本発明の様々な態様が、単独で、又は、互いのあらゆる組合せの形で使用されてもよい。
【００１０】
特に明記しない限りは、後述する好ましい実施態様が、本発明のすべての態様に当てはまる。
【００１１】
本発明の態様の各々では、３次元パズルは任意の適切な材料で作られてもよい。しかし、経済性と精度とに関して、第１の構成要素の各々が、ＡＢＳ（アクリロニトリル・ブタジエン・スチレン）のような適切なポリマープラスチックで作られることが好ましい。
【００１２】
第１の構成要素の各々が射出成形によって作られることが特に好ましいが、これは、射出成形が、厳密な許容誤差を伴う大量生産プロセスを実現することが可能だからである。本発明のパズルの製造は射出成形だけに限定されないということを理解されたい。例えば、注型、ブロー成形又は回転成形（ｒｏｔｏ  ｍｏｕｌｄｉｎｇ）、固体からのワイヤー切断、及び、３Ｄプリンティングのような他の方法も適しているだろう。
【００１３】
こうした第２の構成要素の各々は、好ましくは、射出成形又は他の方法によって、ＡＢＳのような適切なポリマープラスチックから作られている。しかし、各々の第２の構成要素が、例えば紙パルプ（ボール紙）、ゴム、又は、ケイ素のような他の材料で作られていることも、本発明の範囲内である。
【００１４】
第１の構成要素の相互連結係合の仕方は、好ましくは、上記国際出願で説明されている相互連結係合の仕方と同一であるか又はこれに類似している。例えば、構成要素１が、第１及び第２の係合表面上で構成要素２と係合し、及び、第３の係合表面を画定してもよい。その次に、第４の係合表面を有する構成要素３が、第４の係合表面を介して第３の係合表面に係合する。
【００１５】
術語「相互連結係合」によって、２つの第１の構成要素の各々が互いに確実に係合する係合が意味され、この係合は、摩擦嵌めによる係合、又は、接着剤又はヒートシーリングの使用による係合を含まない。
【００１６】
第１の構成要素の相互連結係合が、さねはぎ構造（ｔｏｎｇｕｅ  ａｎｄ  ｇｒｏｏｖｅ  ａｒｒａｎｇｅｍｅｎｔ）又は他の相互連結機構を含むことが好ましい。少なくとも選択された第１の構成要素のための、さねはぎ式相互連結機構又は他の相互連結機構が、係合の仕方を制限するために先細にされ、したがって、両方向のどちらかに滑動することではなく、一方向だけに滑動することによって、適正な係合が生じることが可能であることが、さらに好ましい。
【００１７】
また、好ましくは、第３の第１の構成要素が適正に係合することができるのに先立って、第１の構成要素の少なくとも２つが必ず係合させられる。第１の構成要素は、２つ以上の別々の第１の構成要素を相互係合させるための「さね」（ｔｏｎｇｕｅ）として機能するように、２つ以上のｔ字形部分を有してもよい。
【００１８】
第１の態様では、３次元の第１の構成要素の少なくとも１つが、相互連結係合とは異なる係合によって互いに接合されるようになっている２つの部品の形に形成される。このような２部品の第１の構成要素が、「コア（ｃｏｒｅ）」構成要素として、パズルの内側に全体的に又は部分的に配置されることが好ましい。必要に応じて、第１の構成要素の２つ以上が２つの部品の形に作られてもよい。第１の構成要素の２つ以上を２つの部品の形で形成することが、射出成形を使用する際の省コスト性と精度とを実現することが可能であることが発見されている。図が、第１の構成要素のアンダーカット機構の構造、又は、第１の構成要素の相互連結係合の精度である。
【００１９】
こうした第１の構成要素の２つの部品は、例えば接着剤、留め具、超音波溶接、又は、ヒートシーリングによって、恒久的に接合されてもよい。代替策としては、この２つの部品は、成形部品に組み込まれているスナップフィット（ｓｎａｐ−ｆｉｔ）又はクリップ細部（ｃｌｉｐ  ｄｅｔａｉｌ）によって、又は、摩擦嵌めによって、及び、選択的に、雌型空洞又は相互連結壁内に受け入れられる１つ又は複数の雄型くぎ又はピンを使用して、分離可能であるように接合されてもよい。
【００２０】
これらの２つの部品は、材料を節約するために中空であってもよい。この中空の内側空洞又は内部空洞は、秘密の区画室としてユーザによって到達可能であってもよい。別の選択肢としては、この中空の内部は、例えば、本発明のパズルの使用において楽しさを増すために、照明又は音声放出装置を収容するために使用されてもよい。この中空の内側空洞又は内部空洞は、別の例として、サプライズプレゼントを収容してもよい。
【００２１】
本発明の第２の態様に関連して、３次元パターンが、単に装飾的であり、及び／又は、パズルの第１の構成要素の操作を補助するように設計されてもよい。しかし、より好ましくは、この３次元パターンが、本発明の第４の態様において、オーバーモールディング（ｏｖｅｒｍｏｕｌｄｉｎｇ）を補助すること、又は、第２の構成要素の取り付けを補助することが意図されている。
【００２２】
この３次元パターンは、任意の所望の形状をとってもよい。このパターンは、外側表面全体にわたって略一定であってもよく、又は、変化してもよい。
【００２３】
３次元パターンがオーバーモールディングを補助することが意図されている場合には、このパターンが複数のフィン（ｆｉｎ）又は支持構造を含み、かつ、オーバーモールディングを補助するために、且つ、外側表面とオーバーモールドとの間の良好な接着を可能にするために、先端と谷（ｐｅａｋ  ａｎｄ  ｔｒｏｕｇｈ）を有することが好ましい。六角形の壁の各々が凹みを画定する、六角形パターンのような他のパターンが、本発明の範囲内に含まれている。
【００２４】
オーバーモールディングを使用することによって、パズルは柔らかな感触と仕上げを備えてもよい。オーバーモールディングは、外側表面の一部分である外部表面を有する各々の第１の構成要素の上に弾性被覆を提供してもよい。オーバーモールディングは、パズルの外側表面の一部分又は全部を覆ってもよいし、必要に応じて係合表面を覆ってもよい。
【００２５】
オーバーモールディングは、さらに、サッカーボール又はバスケットボールのような別の製品に対する類似性を反映するために、オーバーモールドされる材料にテクスチャー（ｔｅｘｔｕｒｅ）を与えることで、このような別の製品に対する類似性をオーバーモールディングに与えることによって、又は、オーバーモールド表面にプリントするか又は塗装することによって、パズルの価値を高めてもよい。
【００２６】
オーバーモールディングは、任意の適切な方法と任意の適切な材料とを使用して実現されてもよい。非限定的な具体例が、別個の注入点からの同時注入又は注入としての、３次元パターン上への弾性樹脂の射出成形を含み、したがって、パターンを有する第１の構成要素の材料と、オーバーモールドの材料とが、層状の構造を生じさせるように、同一の射出成形工具の中に別個に注入される。別の具体例が、第１の構成要素の形成と、その後の、オーバーモールドのための別の型穴への第１の構成要素の移動である。インサート成形も適しているだろう。
【００２７】
オーバーモールドは、接着を生じさせるために第１の構成要素上に溶着させられ、３次元パズルの外側表面上の３次元パターンによって補助されてもよい。
【００２８】
オーバーモールド材料は、３次元パズルの材料を考慮した上で、任意の適切な材料であってもよい。具体例は、ポリプロピレンを主成分とする樹脂、熱可塑性ポリウレタン、スチレン−エチレン／ブチレン−スチレンコポリマー、熱可塑性ゴム、ケイ素、及び、熱可塑性硬質ゴムである。
【００２９】
本発明の第３の態様では、第１の構成要素の各々は、略一定の厚さの壁を有する。好ましくは、各々の第１の構成要素の壁のすべてが略一定の厚さである。さらに、各々の第１の構成要素の壁のすべてが、その他の第１の構成要素の壁と同一の厚さであることが好ましい。一定不変の厚さである壁は、特に射出成形が使用される場合に、量産を向上させる。
【００３０】
第４の態様では、第１の態様、第２の態様、及び／又は、第３の態様のパズルは、楽しみを増大させる「パズル内のパズル（ｐｕｚｚｌｅ  ｗｉｔｈｉｎ  ｐｕｚｚｌｅ）」として提供されてもよい。３次元パズルの外側表面は概ね滑らかであってもよく、又は、３次元パズルを取り囲むように第２の構成要素の取り付け及び／又は保持を補助することが可能である３次元パターンを有してもよい。
【００３１】
第２の構成要素は通常のジグソーパズル形状であってもよく、及び、実質的に２次元であるか、又は、３次元パズルの外側表面に嵌合するように３次元の形に成形されてもよい。例えば、３次元パズルの完成形状が平面の表面を有する場合には、こうした平面の表面を取り囲むことが意図されている第２の構成要素が平らであってもよい。３次元パズルの完成形状が湾曲した表面を有する場合には、少なくとも完成形状との接触が意図されている場所において、こうした湾曲した表面を取り囲むことが意図されている第２の構成要素が湾曲していてもよい。第２の構成要素が、その下面に第１の表面形状を有し、かつ、その外面に第２の表面形状を有してもよいということが理解されるだろう。
【００３２】
３次元パズルが３次元表面パターンを有する場合には、第２の構成要素は、その表面パターンを相補するための下面形状を有してもよい。しかし、不揃いの（ｕｎｍａｔｃｈｅｄ）又は交互のパズル形状も、第２の構成要素内に取り込まれることが可能である。
【００３３】
第２の構成要素は任意の適切な仕方で係合してもよい。好ましくは、普通のジグソーのように、又は、第１の構成要素の相互連結に類似した仕方で、それぞれの第２の構成要素の間に係合が実現される。
【００３４】
必要に応じて、複雑性の度合を増大させるために、且つ、内部空洞が存在する場合にその内部空洞を実現するためには、第２の構成要素のさねはぎ特徴要素がパズル又は構成要素の横断面全体を横断することは不可欠ではない。例えば、第２の構成要素１は第２の構成要素２の一部分と係合するだけでもよく、かつ、第２の構成要素３は第２の構成要素２の一部分と係合する。
【００３５】
第２の構成要素のすべてが互いに同一の特徴要素を有することは必ずしも必要ではない。例えば、幾つかの第２の構成要素は、３次元パズルの表面パターンを相補するための下面形状を有してもよく、且つ、幾つかの第２の構成要素はこうした下面形状を有しなくてもよい。一部又は全部の第２の構成要素は中実であってもよく、且つ、幾つかの第２の構成要素は、第１の構成要素の一部又は全部を包囲し且つこうして第１の構成要素の外側表面に対する到達を実現する骨組み形状であってもよい。骨組み形状の第２の構成要素を通して、第１の構成要素の外側表面を目視し及び／又はその外側表面に接触することが可能であってもよい。
【００３６】
以下では、図面に関連付けて説明する非限定的な実施形態に関して、本発明をその様々な態様において説明する。すべての図面が必ずしも同一の縮尺で示されているわけではないということに留意されたい。
【図面の簡単な説明】
【００３７】
【図１】３次元表面パターンを有する球体の形状である、完成形状における３次元パズルの第１の実施形態の斜視図である。
【図２】右に回転させられており、且つ、１つの第１の構成要素の取り外しを示す、図１の実施形態を示す。
【図３】図１と図２のパズルの分解組立図である。
【図４】下方から見た、図２の取り外された第１の構成要素の平面図である。
【図５】先細の第１の構成要素の係合の具体例を示し、及び、２つの部品の形に作られている第１の構成要素を示す、図２の矢印５の方向における平面図である。
【図６】２つの部品が分離させられている、図５に示されている２部品の第１の構成要素（ｔｗｏ−ｐａｒｔ  ｆｉｒｓｔ  ｃｏｍｐｏｎｅｎｔ）の斜視図である。
【図７】第２の２部品構成要素（ｓｅｃｏｎｄ  ｔｗｏ−ｐａｒｔ  ｃｏｍｐｏｎｅｎｔ）を示す、図３に示されている第１の構成要素の１つの断面図である。
【図８】下方から見た、第２の２部品構成要素の断面図である。
【図９】第３の２部品構成要素（ｔｈｉｒｄ  ｔｗｏ−ｐａｒｔ  ｃｏｍｐｏｎｅｎｔ）に接合されている図６及び図８の第１及び第２の２部品構成要素の断面図である。
【図１０】一定不変の壁厚さを有する第１の構成要素の具体例を示し、及び、外側表面上の３次元パターンの一部分の具体例であるフィンのリブ付き配列を詳細に示す。
【図１１】図２において取り外されている第１の構成要素上のオーバーモールディングの具体例を示す。
【図１２】図１１の実施形態の分解組立図を示す。
【図１３】サッカーボールに類似するようにテクスチャーが付けられているオーバーモールディングを伴う、組み合わされた３次元パズルの斜視図である。
【図１４】組み合わされた３次元パズルの周りの包囲物（ｓｕｒｒｏｕｎｄ）の実施形態の斜視図であり、かつ、この包囲物は立方体の形状である。
【図１５】３次元パズルの内部を示す、１つの第２の構成要素が取り外されている、図１４の実施形態を示す。
【図１６】図１４と図１５の実施形態の分解組立図である。
【図１７】組み合わされた３次元パズルの周りの包囲物の第２の実施形態の部分分解組立図であり、かつ、この包囲物は球体の形状である。
【発明を実施するための形態】
【００３８】
最初に、図１から図３を参照すると、この実施形態では、３次元パズル１０が、図１に示されている３次元の完成形状を形成するための７つの第１の構成要素１２、１４、１６、１８、２０、２２、２４を有する。第１の構成要素１２、１４、１６、１８、２０、２２、２４の各々は、図２と図３に見てとれるように、さねはぎ式の滑り係合（ｓｌｉｄｉｎｇ  ｅｎｇａｇｅｍｅｎｔ）によって、第１の構成要素１２、１４、１６、１８、２０、２２、２４の中の少なくとも１の他の第１の構成要素と相互連結係合するように成形されている。第１の構成要素の各々は射出成形によって形成されている。
【００３９】
こうしたさねはぎ式係合の詳細が図２と図４に示されている。図２に見てとれる第１に構成要素は溝２６、２８を含む。図４は、第１の構成要素１２の下面上に、さねを形成する端縁２９ａ、２９ｂ、２９ｃ、２９ｄを示し、及び、側部２９ａ、２９ｃは側部２９ｂに向かって傾斜している。溝２６、２８は類似した傾斜を有する。したがって、構成要素１２は、挿入（ｅｎｔｒｙ）が図２に示されている通りであり、且つ、構成要素１２を右から左に移動させる場合にだけ、構成要素２０の中に適正に嵌まり込む。構成要素１２、２０の間の先細嵌合（ｔａｐｅｒｅｄ  ｆｉｔ）のせいで、反対方向の挿入は成功しない。
【００４０】
図４は、凹み溝（ｒｅｃｅｓｓｅｄ  ｃｈａｎｎｅｌ）３０、３２を示し、この凹み溝は、相互連結さねはぎのアンダーカット特徴（ｕｎｄｅｒｃｕｔ  ｎａｔｕｒｅ）を生じさせるように、射出成形中に形成される。
【００４１】
当業者には理解されるように、類似の滑り係合が、第１の構成要素２４を第１の構成要素２２に係合させ、第１の構成要素２０を、係合した第１の構成要素２２、２４に係合させ、第１の構成要素１８を、係合した第１の構成要素２２、２４に係合させ、第１の構成要素１６を、係合した第１の構成要素２０、２２に係合させ、第１の構成要素１４を、係合した第１の構成要素２０、２４に係合させ、及び、第１の構成要素１２を、係合した第１の構成要素１６、２０、１４に係合させるために使用される。
【００４２】
係合クリップ３４も図４に示されており、この係合クリップ３４は、第１の構成要素２０内のノッチ又はスロット３６に係合するための、可とう性の指部３５上に位置した、第１の構成要素１２の下面の突起である（図２を参照されたい）。係合クリップ３４は、組み合わされた形状の形にパズル１０を保持することを補助するための選択肢であるが、第１の構成要素すべてを一体的に保持するために必ずしも不可欠なものではない。
【００４３】
係合クリップ３４とスロット３６に代わる代替策として、小さいリターンウォール（ｒｅｔｕｒｎ  ｗａｌｌ）（図示されていない）が、係合クリップ３４と同じ位置において構成要素１２上に形成されてもよい。このリターンウォールは、パズル１０を組立形状に保持することを補助する。
【００４４】
この実施形態では、３つの第１の構成要素２０、２２、２４（図３を参照されたい）の各々が、２つの部品の形で作られ、その次に、図５と図６に関連して後述するように、互いに接合させられる。
【００４５】
図５では、第１の構成要素２０が、境界面３８で接合させられている２つの部品２０ａ、２０ｂを有する。接着、留め具、超音波溶接、又は、ヒートシーリングによる恒久的接合を含む、部品２０ａ、２０ｂの接合の様々な方法が使用されてよく、例えば、図６に示されているこの実施形態では、くぎ４０が、中空空洞４４を形成するように管４２の中に摩擦嵌めによって嵌合する。部品２０ａ、２０ｂは、中空空洞４４に到達するために、管４２とのくぎ４０の摩擦係合に打ち勝つように互いに引き離されてもよい。
【００４６】
図解を分かり易くするために幾つかの構成要素２２が省略されている部分断面図である図７と図８に示されているように、第１の構成要素２２は、さらに、２つの部品２２ａ、２２ｂで作られている。この実施形態では、２つの係合方法、即ち、４６における、部品２２ｂに対する部品２２ａの蟻継ぎと、４８における、くぎを使用する摩擦嵌めと、がある。
【００４７】
図９を参照すると、この図は、管４２を有する２部品構成要素２０、２２、２４の部品２０ｂ、２２ｂ、２４ｂを部分断面図（図の明瞭性のための省略を伴う）の形で示し、これら管の幾つかだけが照合番号を付けられている。これらの管４２は、部品２０ａ、２２、２４ａ（図示されていない）の摩擦嵌めくぎ又はピン４０を捕捉するために使用される。
【００４８】
図１０が、射出成形において補助するために、一定不変の厚さの壁５０を有する第１の構成要素の実施形態を示す。図９に見てとれるように、第１の構成要素の壁の幾つか又は全部が一定不変の厚さであってもよく、及び、さらに、第１の構成要素の各々は、その他の第１の構成要素の壁の厚さと同一の厚さを有する壁を有してもよい。
【００４９】
パズル１０が、図１から図３、図５、図６、図９、及び、図１０の各々に、３次元表面パターンを有する形で示されており、この３次元表面パターンは、この実施形態では、フィン５２の複数の配列の形状をとる。
【００５０】
図１１は、弾性樹脂５４を用いてオーバーモールドされ終わった後の、第１の構成要素１２を示す。構成要素１２は、ＡＢＳ又は他の射出成形可能なポリマーで作られており、一方、オーバーモールド樹脂５４は、ケイ素又はゴムのような適切なオーバーモールド可能な材料で作られている。
【００５１】
樹脂５４は構成要素１２の表面に柔軟な感触を与え、この柔軟な感触が強化され、及び、さらには、パズル組合せ中の操作を補助する。構成要素１２の材料と樹脂５４との間の親和性が良好な接着を可能にする。
【００５２】
図１２は、図１１の実施形態の分解組立図を示すが、これは図解を目的とするためだけであるということを理解されたい。オーバーモールドが行われ終わると、樹脂５４は、どれか１つを損傷させることなしには、構成要素１２から分離させられることが不可能である。
【００５３】
図１２から、樹脂５４が、その下面に、接着をさらに強化するために、フィン５２の配列を相補する成形溝５６を有することが見てとれる。
【００５４】
パズル１０の外側表面に寄与するその他の第１の構成要素が、構成要素１２と同じ形でオーバーモールドされてもよい。
【００５５】
図１３のサッカーデザイン（ｓｏｃｃｅｒ  ｄｅｓｉｇｎ）は、オーバーモールドを使用して実現されることが可能な、テクスチャーが付けられた外観の一例である。このパズルは、通常通りに分解及び組立されてもよい。
【００５６】
本発明の第４の態様の包囲物の第１の実施形態が図１４から図１６に示されている。
【００５７】
３次元パズル１０は、複数の第２の構成要素で構成されている立方体６０によって取り囲まれており、この第２の構成要素の幾つかは、６２、６４、６６、６８、７０、７２、７４の照合番号が付けられている。
【００５８】
第２の構成要素６２、６４、６６、６８、７０、７２、７４の各々は、少なくとも１つの他の第２の構成要素と係合するように成形されている。この実施形態では、この係合は、例えば、第２の構成要素６２上のさね７６と、第２の構成要素６４内の溝７８とによって示されているように、相補的な溝の中にさねを滑り込ませることによって生じる。
【００５９】
各々の第２の構成要素の下面は、パズル１０の周りにぴったりと嵌合するように成形されており、適切な湾曲を有する。採用随意に、各々の第２の構成要素の下面は、パズル１０の外側表面上のフィン配列を相補する表面を有してもよい。
【００６０】
本発明の第４の態様の包囲物の第２の実施形態が図１７に示されている。球体８０が複数の第２の構成要素で構成されており、及び、これらの第２の構成要素の幾つかは、８２、８４、８６、８８、９０、９２、９４、９６、９８、１００、１０２、１０４、１０６の照合番号が付けられている。この実施形態では、係合は、例えば、第２の構成要素９２上のさね１０８と、第２の構成要素９０内の溝１１０とによって示されているように、相補的な浅い溝の中にさねを挿入するか又は滑り込ませることによって生じる。
【００６１】
各々の第２の構成要素の下面は、パズル１０の周りにぴったりと嵌合するように成形されており、適切な湾曲を有する。採用随意に、各々の第２の構成要素の下面は、パズル１０の外側表面上のフィン配列を相補する表面を有してもよい。
【産業上の応用範囲】
【００６２】
本発明が、３次元パズルの技術分野において、魅力的で且つ効果的な利点を提供するということが、当業者に理解されるだろう。
【図１】
0006666344.tif 000002
【図２】
0006666344.tif 000003
【図３】
0006666344.tif 000004
【図４】
0006666344.tif 000005
【図５】
0006666344.tif 000006
【図６】
0006666344.tif 000007
【図７】
0006666344.tif 000008
【図８】
0006666344.tif 000009
【図９】
0006666344.tif 000010
【図１０】
0006666344.tif 000011
【図１１】
0006666344.tif 000012
【図１２】
0006666344.tif 000013
【図１３】
0006666344.tif 000014
【図１４】
0006666344.tif 000015
【図１５】
0006666344.tif 000016
【図１６】
0006666344.tif 000017
【図１７】
0006666344.tif 000018